(57)【要約】【課題】リール等の組み付け作業を短時間で容易に行うことを可能にする。【解決手段】回転自在に支持された複数のリールドラム１１２と、リールドラム１１２の外周面に設けられると共に複数の図柄が配設されたリール帯１１３と、リールドラム１１２の外周に所定間隔で配置された永久磁石１１４と、リールドラム１１２の外周側にそれぞれ設けられ、該リールドラム１１２の永久磁石１１４に対向して配置された複数の電磁石１２１と、電磁石１２１に励磁する励磁極性を可変制御することによりリールドラム１１２をそれぞれ回転及び停止させる１次側駆動回路１３１と、複数の電磁石１２１及び信号形成部１３３を搭載したリール駆動基板１２３とを有している。【選択図】図４
2007117415.tif 000002
【特許請求の範囲】
【請求項１】
回転自在に支持された複数のリールドラムと、
前記リールドラムの外周面に設けられると共に複数の図柄が配設されたリール帯と、
前記リールドラムの外周に所定間隔で配置された永久磁石と、
前記リールドラムの外周側にそれぞれ設けられ、該リールドラムの前記永久磁石に対向して配置された複数の電磁石と、
前記電磁石に励磁する励磁極性を可変制御することにより前記各リールドラムをそれぞれ回転及び停止させる励磁制御部と、
前記複数の電磁石及び励磁制御部を搭載したリール駆動基板と
を有することを特徴とする遊技機。
【請求項２】
前記永久磁石は、前記リールドラムの回転位置に対応して磁化強度が部分的に変化されており、
前記永久磁石の磁化強度の変化部分を検出する磁化強度検出部と、前記磁化強度の変化部分に基づいて前記リールドラムの回転位置を検出するリール位置検出部とを、前記電磁石及び前記励磁制御部と共に前記リール駆動基板に搭載した状態で備えていることを特徴とする請求項１に記載の遊技機。
【発明の詳細な説明】
【技術分野】
【０００１】
本発明は、複数のリールドラムを回転させることにより遊技を行う遊技機に関する。
【背景技術】
【０００２】
従来、この種の遊技機としては、例えば特許文献１に記載のものがある。具体的には、各リールドラムの外周部に複数の永久磁石を所定間隔で配置すると共に、永久磁石に対向するように所定数の電磁石を固定状態に配置する。そして、電磁石に対して電流を供給して電磁石の磁極を可変制御し、電磁石と永久磁石との間に吸引力と反発力とを作用させることにより永久磁石を直線方向に駆動及び停止させることによって、永久磁石が設けられたリールドラムを回転及び停止させるように構成されている。
【０００３】
【特許文献１】特開２００２−１５３５９４号公報
【発明の開示】
【発明が解決しようとする課題】
【０００４】
ところで、上記従来のように、各電磁石と永久磁石との間で吸引力と反発力とを作用させて永久磁石を直線方向に駆動や停止させる場合、リールドラムを所望の回転速度や停止位置等で回転及び停止させるために、電磁石の極性を高度に可変制御する必要がある。従って、リールを組み付ける際には、電磁石と永久磁石との間隔が所定距離となるように、電磁石等を取り付けるセット作業を慎重に行うことが要求されている。そして、従来においては、このようなセット作業を各リールドラムに対してそれぞれ行っているため、リール等の組み付けを完了するまでに長時間を要し易いことから、セット作業を簡単に行えることが望まれている。
【０００５】
本発明の目的は、電磁石等のセット作業を容易化してリール等の組み付け作業を短時間で容易に行うことができる遊技機を提供することである。
【課題を解決するための手段及び効果】
【０００６】
本発明は、回転自在に支持された複数のリールドラムと、前記リールドラムの外周面に設けられると共に複数の図柄が配設されたリール帯と、前記リールドラムの外周に所定間隔で配置された永久磁石と、前記リールドラムの外周側にそれぞれ設けられ、該リールドラムの前記永久磁石に対向して配置された複数の電磁石と、前記電磁石に励磁する励磁極性を可変制御することにより前記各リールドラムをそれぞれ回転及び停止させる励磁制御部と、前記複数の電磁石及び励磁制御部を搭載したリール駆動基板とを有する。
【０００７】
上記の構成によれば、リールドラムに対してそれぞれ設けられる複数の電磁石と、これらの電磁石を励磁する励磁制御部とがリール駆動基板に搭載されることによって、これら電磁石及び励磁制御部がユニット化されているため、複数のリールドラムに対して電磁石等をセットするときの作業を一括して行うことができることから、リール等の組み付け作業を短時間で容易に行うことができる場合がある。
【０００８】
また、本発明は、前記永久磁石は、前記リールドラムの回転位置に対応して磁化強度が部分的に変化されており、前記永久磁石の磁化強度の変化部分を検出する磁化強度検出部と、前記磁化強度の変化部分に基づいて前記リールドラムの回転位置を検出するリール位置検出部とを、前記電磁石及び前記励磁制御部と共に前記リール駆動基板に搭載した状態で備えていてもよい。
【０００９】
上記の構成によれば、リールドラムの周囲に配設された永久磁石を用いてリールドラムの回転位置を検出することができるため、リールドラムの回転位置を検出するための部品点数を削減してコストダウンを図ることができる場合がある。さらに、リールドラムに対してそれぞれ設けられる複数の電磁石、励磁制御部、リール位置検出部及び磁化強度検出部がリール駆動基板に搭載されることによりユニット化されているため、複数のリールドラムに対してセットするときの作業を一括して行うことができることから、リールの組み付け作業を短時間で容易に行うことができる場合がある。
【発明を実施するための最良の形態】
【００１０】
（遊技機の全体構成）
本発明の実施の形態を図１ないし図９に基づいて以下に説明する。
【００１１】
本実施の形態にかかる遊技機は、所謂『パチスロ機』であり、複数の図柄の変動表示を停止して表示される図柄に基づいて特定の入賞態様が成立するように、遊技者の操作により変動表示を停止可能に構成されている。尚、遊技機は、コインやメダル、遊技球、トークン等の他、遊技者に付与された、もしくは付与される遊技価値の情報を記憶したカード等の遊技媒体を用いて遊技するものであるが、以下の説明においては、メダルを用いるものとして説明する。
【００１２】
図１は、遊技機１の外観を示す斜視図である。遊技機１の全体を形成している筐体であるキャビネット２の正面には、略垂直面としてのパネル表示部２ａが形成され、その中央には縦長矩形の表示窓４Ｌ・４Ｃ・４Ｒが設けられている。表示窓４Ｌ・４Ｃ・４Ｒには、入賞ラインとして水平方向にトップライン８ｂ、センターライン８ｃ及びボトムライン８ｄ、斜め方向にクロスダウンライン８ａ及びクロスアップライン８ｅが設けられている。これらの入賞ラインは、後述の１−ＢＥＴスイッチ１１、２−ＢＥＴスイッチ１２、最大ＢＥＴスイッチ１３を操作すること、或いはメダル投入口２２にメダル１１５を投入することにより、それぞれ１本、３本、５本が有効化される。どの入賞ラインが有効化されたかは、後で説明するＢＥＴランプ９ａ・９ｂ・９ｃの点灯で表示される。
【００１３】
ここで、入賞ライン８ａ〜８ｅは、役の入賞の成否に関わる。具体的には、所定の役（例えば、『上チリの小役』）に対応する一の図柄（例えば、「上チリ」）が何れかの有効化された入賞ラインに対応する所定の位置（例えば、ＢＥＴ数が「３」であれば左の表示窓４Ｌ内の位置）に停止表示されること、又は所定の役に対応する図柄組合せを構成する図柄が何れかの有効化された入賞ラインに対応する所定の位置に並んで停止表示されることにより、所定の役の入賞が成立することとなる。
【００１４】
キャビネット２の内部には、図２に示すように、３個のリール３Ｌ・３Ｃ・３Ｒが回転可能に横一列に設けられている。各リール３Ｌ・３Ｃ・３Ｒの外周面には、複数の図柄からなる図柄列が記されている。図柄列は、図３に示すように、「００」〜「２０」のコードナンバーが付された複数種類の図柄からなっている。具体的には、「赤７」、「青７」、「下チリ」、「ベル」、「スイカ」、「Ｒｅｐｌａｙ」、および「上チリ」の図柄からなっている。各リールの図柄は、表示窓４Ｌ・４Ｃ・４Ｒを通して観察可能にされている。各リールは、リニア駆動方式を用いたリール駆動機構１０１により回転及び停止され、定速回転時においては例えば８０回転／分で回転する。リール３Ｌ・３Ｃ・３Ｒ及びリール駆動機構１０１の詳細については後述する。尚、上記の図柄列中における「赤７」、「青７」は、特定の入賞態様を構成するものとして設定されている。ここで、特定の入賞態様とは、後述のＢＢやＲＢのボーナスが成立する入賞態様を意味する。
【００１５】
図１に示すように、表示窓４Ｌ・４Ｃ・４Ｒの左側には、１−ＢＥＴランプ９ａ、２−ＢＥＴランプ９ｂ、最大ＢＥＴランプ９ｃ、クレジット表示部１９が設けられている。１−ＢＥＴランプ９ａ、２−ＢＥＴランプ９ｂ及び最大ＢＥＴランプ９ｃは、一つのゲーム（単位遊技）を行うために賭けられたメダル１１５の数（以下『ＢＥＴ数』という）に応じて点灯する。ここで、本実施の形態では、一のゲームは、全てのリールが停止したときに終了する。１−ＢＥＴランプ９ａは、ＢＥＴ数が「１」で１本の入賞ラインが有効化されたときに点灯する。２−ＢＥＴランプ９ｂは、ＢＥＴ数が「２」で３本の入賞ラインが有効化されたときに点灯する。最大ＢＥＴランプ９ｃは、ＢＥＴ数が「３」で全て（５本）の入賞ラインが有効化されたときに点灯する。クレジット表示部１９は、７セグメントＬＥＤから成り、貯留されているメダル１１５の枚数を表示する。
【００１６】
表示窓４Ｌ・４Ｃ・４Ｒの右側には、当り表示ランプ（所謂ＷＩＮランプ）１７及び払出表示部１８が設けられる。当り表示ランプ１７は、基本的に、ＢＢ又はＲＢの入賞成立が実現可能となった後、ＢＢ又はＲＢの入賞が成立するまでの間、点灯する。ここで、ＢＢ及びＲＢを総称して、以下『ボーナス』という。払出表示部１８は、７セグメントＬＥＤから成り、入賞成立時のメダル１１５の払出枚数を表示する。
【００１７】
パネル表示部２ａの右側上部には、ボーナス遊技情報表示部２０が設けられる。ボーナス遊技情報表示部２０は、７セグメントＬＥＤを備えており、後で説明するＢＢ一般遊技状態におけるゲームの回数等を表示する。表示窓４Ｌ・４Ｃ・４Ｒの下方には、水平面の台座部１０が配置されている。台座部１０と表示窓４Ｌ・４Ｃ・４Ｒとの間には、液晶表示装置５が設けられている。
【００１８】
液晶表示装置５の左側には、１−ＢＥＴスイッチ１１、２−ＢＥＴスイッチ１２、及び最大ＢＥＴスイッチ１３が設けられている。１−ＢＥＴスイッチ１１は、１回の押し操作により、クレジットされているメダル１１５のうちの１枚をゲームへの賭け枚数とする。２−ＢＥＴスイッチ１２は、１回の押し操作により、クレジットされているメダル１１５のうちの２枚をゲームへの賭け枚数とする。最大ＢＥＴスイッチ１３は、１回のゲームに賭けることが可能な最大枚数をゲームへの賭け枚数とする。これらのＢＥＴスイッチ１１・１２・１３を操作することで、前述のとおり、所定の入賞ラインが有効化される。一方、液晶表示装置５の右側には、メダル１１５の投入を可能にするメダル投入口２２が配置されている。メダル投入口２２は、図２に示すように、メダルセレクタ１００に連絡されている。メダルセレクタ１００の後方には、メダルセレクタ１００からメダル１１５が送出されるホッパ４０が配設されている。ホッパ４０は、リール３Ｌ・３Ｃ・３Ｒの下方に設けられている。ホッパ４０は、メダル１１５を貯留するホッパータンクと、貯留されたメダル１１５を排出するホッパー本体とを備えている。ホッパ４０は、遊技結果に基づいて所定枚数のメダル１１５を排出してドア部２ｂに開口したメダル払出口１５を介してメダル受部１６に投出するようになっている。
【００１９】
一方、メダルセレクタ１００の前方には、図１に示すように、台座部１０が配置されている。台座部１０の前面部の左寄りには、遊技者がゲームで獲得したメダルのクレジット／払出しを押しボタン操作で切替えるＣ／Ｐスイッチ１４が設けられている。このＣ／Ｐスイッチ１４の切り替えにより、正面下部のメダル払出ロ１５からメダルが払出され、払出されたメダル１１５はメダル受け部１６に溜められる。Ｃ／Ｐスイッチ１４の右側には、スタートレバー６が配置されている。スタートレバー６は、所定の角度範囲で回動自在に取り付けられており、遊技者の操作により遊技開始指令信号を出力することによって、リール３Ｌ・３Ｃ・３Ｒを回転させ、表示窓４Ｌ・４Ｃ・４Ｒ内での図柄の変動表示を開始させる。
【００２０】
キャビネット２の上部の左右には、スピーカ２１Ｌ・２１Ｒが設けられている。スピーカ２１Ｌ・２１Ｒの間には、入賞図柄の組合せ及びメダル１１５の配当枚数等を表示する配当表パネル２３が設けられている。台座部１０の前面部中央で、液晶表示装置５の下方位置には、３個のリール３Ｌ・３Ｃ・３Ｒの回転をそれぞれ停止させるための３個の停止ボタン７Ｌ・７Ｃ・７Ｒが設けられている。
【００２１】
（リール３Ｌ・３Ｃ・３Ｒ、リール駆動機構１０１）
上記のリール３Ｌ・３Ｃ・３Ｒは、図２に示すように、リール駆動機構１０１により回転駆動されるようになっている。各リール３Ｌ・３Ｃ・３Ｒは、図４に示すように、回転自在に水平配置された回転軸１１１と、回転軸１１１に中心部を支持されたリールドラム１１２と、リールドラム１１２の外周面に設けられると共に、「赤７」や「青７」等の上述の複数の図柄が配設されたリール帯１１３と、リールドラム１１２の外周に所定間隔で配置された永久磁石１１４とを有している。永久磁石１１４は、磁石保持帯１１５に所定間隔で設けられており、リールドラム１１２の外周に磁石保持帯１１５を巻き付けることによって、リールドラム１１２に設けられている。
【００２２】
尚、永久磁石１１４は、リールドラム１１２の外周部に複数の凹部を所定間隔で形成し、これらの凹部に嵌合することにより配設されていてもよいし、個々にリールドラム１１２の外周部に接着剤等を用いて貼設されていてもよい。但し、磁石保持帯１１５が用いられた場合には、磁石保持帯１１５をリールドラム１１２に巻回する１回の作業により全ての永久磁石１１４の配設作業を完了させることができるため、リール３Ｌ・３Ｃ・３Ｒを容易に作成及び修理することができる場合がある。また、各種の間隔で永久磁石１１４を配置した磁石保持帯１１５を準備しておけば、磁石保持帯１１５の交換によって、容易に多種類のリール３Ｌ・３Ｃ・３Ｒに変更することが可能になる。
【００２３】
上記の永久磁石１１４は、リール３Ｌ・３Ｃ・３Ｒの幅方向（リール幅方向）を長手方向とした平面視長方形状に形成されている。永久磁石１１４は、リール幅方向においてスリット１１４ａが形成されることにより磁化強度が部分的に変化されている。磁化強度を変化させた位置は、リールドラム１１２の回転位置に対応して異なったものとされている。即ち、永久磁石１１４は、長手方向において８区分等の複数の区分に分割され、各区分においてスリット１１４ａを用いて磁化強度が変化可能にされており、磁化強度の変化した各区分の組み合わせによりリールドラム１１２の回転位置を示すようになっている。
【００２４】
具体的には、図６に示すように、１列に配置された永久磁石１１４は、左端にスリット１１４ａが形成されたものをリールドラム１１２（リール３Ｌ・３Ｃ・３Ｒ）の原点位置とし、スリット１１４ａの有無により２進数でリールドラム１１２の回転位置を示している。尚、本実施形態においては、永久磁石１１４にスリット１１４ａを形成することにより磁化強度を部分的に変化させているが、これに限定されるものではなく、例えば、磁性シールド部材を永久磁石１１４に貼設することより変化させてもよい。
【００２５】
また、図４に示すように、永久磁石１１４は、配列方向においてＳ極とＮ極とが交互に出現するように配置されている。これらの永久磁石１１４は、リール駆動機構１０１におけるリニア駆動の２次側を構成している。リニア駆動の１次側は、リールドラム１１２の外周側に設けられ、リールドラム１１２の永久磁石１１４に対向配置された複数の電磁石１２１で構成されている。これらの電磁石１２１は、磁石支持台１２２に設けられている。磁石支持台１２２は、複数の電磁石１２１をリールドラム１１２の回転方向に１列状に配置していると共に、各電磁石１２１の表面とリールドラム１１２の外周面との間隔が同一となるように、リールドラム１１２の外周面に対応した湾曲形状の形態で電磁石１２１を支持している。これにより、これらの電磁石１２１から発生した１次側の移動磁界と２次側の永久磁石１１４との相互作用が高い効率で行われ、大きな推進力がリールドラム１１２に付与されるようになっている。
【００２６】
上記の電磁石１２１及び磁石支持台１２２は、リール駆動基板１２３に設けられている。リール駆動基板１２３は、図４にも示すように、全リール３Ｌ・３Ｃ・３Ｒの後方に配置されていると共に、全リール３Ｌ・３Ｃ・３Ｒに対応して設けられた電磁石１２１及び磁石支持台１２２を支持するサイズ及び形状に形成されている。また、リール駆動基板１２３には、図７に示すように、１次側駆動回路１３１（励磁制御部）が搭載されている。これにより、リール駆動基板１２３は、３台のリールドラム１１２に対してそれぞれ設けられる複数の電磁石１２１や、これらの電磁石１２１を励磁する１次側駆動回路１３１等をユニット化し、組み付けや修理、運搬等の各種作業の取り扱い単位とすることによって、例えば、３台のリールドラム１１２に対して電磁石１２１等を取り付けるときのセット作業を一括して行うことを可能にしている。
【００２７】
上記の１次側駆動回路１３１は、各電磁石１２１を極性制御データに応じた励磁極性にそれぞれ励磁させる電力供給部１３２（励磁部）と、全電磁石１２１に対応する極性制御データの一群を出力単位とし、極性制御データの一群をリール駆動信号として時系列で電力供給部１３２に出力することによって、全電磁石１２１の励磁極性を可変制御することによりリールドラム１１２を回転及び停止させる信号形成部１３３（励磁制御部）とを有している。
【００２８】
上記の信号形成部１３３は、所定の時間間隔でリール駆動信号を出力するようになっている。リール駆動信号は、リール３Ｌ・３Ｃ・３Ｒの回転速度を上げる加速時用と、リール３Ｌ・３Ｃ・３Ｒの定速回転時の定速時用と、リール３Ｌ・３Ｃ・３Ｒを減速させる減速時用との３種類が少なくとも存在する。加速時用のリール駆動信号を構成する極性制御データは、リール駆動信号が出力されてから時間が経過するのにしたがって極性制御データの反転する周期が短くなるように設定されている。定速時用のリール駆動信号を構成する極性制御データは、リール駆動信号が出力されてから同じ周期で極性制御データが反転するように設定されている。減速時用のリール駆動信号を構成する極性制御データは、リール駆動信号が出力されてから時間が経過するのにしたがって極性制御データの反転する周期が長くなるように設定されている。そして、信号形成部１３３は、Ｉ／Ｏポート３８からのリール信号を受信し、リール信号に含まれる指令データ（回転や停止等）に基づいて、加速時用、定速時用及び減速時用のリール駆動信号を出力するようになっている。
【００２９】
また、図４に示すように、リール駆動基板１２３には、永久磁石１１４の磁化強度の分布状態を検出する磁化強度検出部材１４１が設けられている。磁化強度検出部材１４１は、各リール３Ｌ・３Ｃ・３Ｒに対応して設けられており、電磁石１２１等を取り付けるときのセット作業と同時に一括して取り付けられるようになっている。磁化強度検出部材１４１は、各リール３Ｌ・３Ｃ・３Ｒに対してそれぞれ設けられている。磁化強度検出部材１４１は、永久磁石１１４の磁化強度を検出する複数の磁気センサ１４２と、これらの磁気センサ１４２をリール幅方向に一列状に支持したセンサ支持台１４３とを有している。これにより、磁化強度検出部材１４１は、永久磁石１１４の磁化強度の分布状態を検出することによって、リールドラム１１２の回転位置を検出することを可能にしている。
【００３０】
上記の磁化強度検出部材１４１は、図６に示すように、リール位置検出回路１４０に組み込まれている。リール位置検出回路１４０は、磁化強度検出部材１４１に接続されたリール位置検出部１４４を有している。リール位置検出部１４４は、磁化強度の分布状態（変化部分）に基づいてリールドラム１１２の回転位置を検出する機能を備えている。これにより、リール位置検出回路１４０は、リールドラム１１２の周囲に配設された永久磁石１１４を用いてリールドラム１１２の回転位置を検出することを可能にしている。
【００３１】
（遊技機１の電気的構成：主制御回路７１）
上記のように構成された遊技機１は、図５に示すように、主基板に設けられた主制御回路７１と、副基板に設けられた副制御回路７２とで動作が制御されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、主基板側記憶手段であるＲＯＭ３２及びＲＡＭ３３を有している。
【００３２】
ＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽籖テーブルに基づいて、内部当籖役を決定するようになっている。
【００３３】
尚、乱数サンプリングのための手段として、マイクロコンピュータ３０内で、即ち、ＣＰＵ３１の動作プログラム上で乱数サンプリングを実行するように構成してもよい。その場合、乱数発生器３６及びサンプリング回路３７は省略可能であり、或いは、乱数サンプリング動作のバックアップ用として残しておくことも可能である。
【００３４】
上記のマイクロコンピュータ３０からの制御信号により動作が制御される主要なアクチュエータとしては、各種ランプ（ＢＥＴランプ９ａ・９ｂ・９ｃ、ＷＩＮランプ１７）と、各種表示部（払出表示部１８、クレジット表示部１９、ボーナス遊技情報表示部２０）と、メダル１１５を収納し、ホッパ駆動回路４１の命令により所定枚数のメダル１１５を払出す上述のホッパ（払出しのための駆動部を含む）４０と、リール３Ｌ・３Ｃ・３Ｒを回転駆動するリール駆動機構１０１とがある。
【００３５】
さらに、ホッパ４０を駆動制御するホッパ駆動回路４１、各種ランプを駆動制御するランプ駆動回路４５、及び各種表示部を駆動制御する表示部駆動回路４８がＩ／Ｏポート３８を介してＣＰＵ３１の出力部に接続されている。また、Ｉ／Ｏポート３８は、各リール３Ｌ・３Ｃ・３Ｒの永久磁石１１４に推進力を発生させる１次側駆動回路１３１にも接続されている。これらの駆動回路は、それぞれＣＰＵ３１から出力される駆動指令等の制御信号を受けて、各アクチュエータの動作を制御する。
【００３６】
また、主制御回路７１は、制御指令を発生するために必要な入力信号を発生する入力信号発生手段に接続されている。主な入力信号発生手段としては、スタートスイッチ６Ｓ、１−ＢＥＴスイッチ１１Ｓ、２−ＢＥＴスイッチ１２Ｓ、最大ＢＥＴスイッチ１３Ｓ、Ｃ／Ｐスイッチ１４Ｓ、リール停止信号回路４６、リール位置検出回路１４０、払出完了信号回路５１がある。これらもＩ／Ｏポート３８を介してＣＰＵ３１に接続されている。
【００３７】
スタートスイッチ６Ｓは、スタートレバー６の操作を検出する。投入メダルセンサ２２Ｓは、メダル投入口２２に投入されたメダル１１５を検出する。リール停止信号回路４６は、各停止ボタン７Ｌ・７Ｃ・７Ｒの操作に応じて停止信号を発生する。リール位置検出回路１４０は、図６の永久磁石１１４の磁化強度の分布状態に基づいて各リール３Ｌ・３Ｃ・３Ｒの位置を検出するための信号をＣＰＵ３１へ供給する。払出完了信号回路５１は、メダル検出部４０ｓの計数値（ホッパ４０から払出されたメダル１１５の枚数）が指定された枚数データに達した時、メダル払出完了を検知するための信号を発生する。
【００３８】
また、主制御回路７１のＲＡＭ３３には、種々の情報が一時的に格納される。例えば、実行中の遊技状態や、投入されたメダル１１５の枚数等が格納される。一方、主制御回路７１のＲＯＭ３２には、スタートレバー６を操作（スタート操作）する毎に行われる乱数サンプリングの判定に用いられる確率抽籖テーブルや停止ボタンの操作に応じてリールの停止態様を決定するための停止テーブル群等の各種のデータテーブルと、副制御回路７２へ送信するための各種制御指令（コマンド）等が格納されている。尚、ＲＯＭ３２に格納された各種のデータテーブルの詳細については後述する。また、ＲＯＭ３２には、後述の各処理ルーチンを実行するプログラム等が格納されている。
【００３９】
上記の主制御回路７１は、副制御回路７２にコマンドや情報等を一方向に出力可能に接続されている。副制御回路７２は、主制御回路７１からの制御指令（コマンド）に基づいて液晶表示装置５の表示制御、スピーカ２１Ｌ・２１Ｒからの音の出力制御及びＬＥＤランプ２９の出力制御等の演出を行うようになっている。具体的には、副制御回路７２は、主制御回路７１を構成する主基板とは別の副基板上に構成され、マイクロコンピュータ（以下『サブマイクロコンピュータ』という）を主たる構成要素とし、液晶表示装置５の表示制御手段としての画像制御回路を備えていると共に、ＬＥＤランプ２９を駆動するＬＥＤ駆動回路等を備えている。
【００４０】
（遊技状態）
以上のように構成された遊技機１は、『一般遊技状態』、『ＲＢ遊技状態』及び『ＢＢ一般遊技状態』からなる３種類の遊技状態を出現させる。これら「３種類」の各遊技状態は、基本的に、内部当籖する可能性のある役の種類、再遊技に内部当籖する確率及び入賞成立を実現することが可能なボーナスの種別、内部当籖と入賞成立との関係により区別される。
【００４１】
各遊技状態の特徴、即ち、各遊技状態において内部当籖する役の種類、その確率及び各遊技状態におけるリール３Ｌ・３Ｃ・３Ｒの停止制御（入賞する可能性のある役の種類等）については後述する。また、各遊技状態間の移行は、ボーナス図柄の組合せが入賞ライン上に表示されたとき等により移行する。
【００４２】
ＢＢの入賞は、一般遊技状態において「青７−青７−青７」又は「赤７−赤７−赤７」が有効ラインに沿って並ぶことにより成立する。ＢＢの入賞が成立した後、遊技状態がＢＢ一般遊技状態となる。ＲＢの入賞は、一般遊技状態において「赤７−赤７−青７」が有効ラインに沿って並ぶこと、又はＢＢ一般遊技状態において「Ｒｅｐｌａｙ−Ｒｅｐｌａｙ−Ｒｅｐｌａｙ」が並ぶことにより成立する。ＢＢ一般遊技状態においてＲＢの入賞が成立することを、一般に『ＪＡＣＩＮ』と称する。ＲＢの入賞が成立した後、遊技状態がＲＢ遊技状態となる。
【００４３】
再遊技は、一般遊技状態において「Ｒｅｐｌａｙ−Ｒｅｐｌａｙ−Ｒｅｐｌａｙ」が並ぶことにより成立する。再遊技が成立すると、投入したメダル１１５の枚数と同数のメダル１１５が自動投入されるので、遊技者はメダル１１５を消費することなく次回のゲームを行うことができる。また、一般遊技状態及びＢＢ一般遊技状態では、『上チリの小役』、『下チリの小役』、『ベルの小役』、及び『スイカの小役』の入賞成立を実現することが可能である。尚、一般遊技状態においては、ＢＢとＲＢと再遊技とベルの小役とスイカの小役と上チリの小役と下チリの小役とに入賞する可能性がある。そして、入賞成立が再遊技の場合、メダル１１５の払い出しはない。また、ＢＢ、ＲＢ、ベル、スイカ、上チリ、下チリの小役の場合、例えば、それぞれ１５枚、１５枚、１０枚、３枚、１枚、７枚のメダル１１５が払い出される。
【００４４】
役物の入賞は、ＲＢ遊技状態において「Ｒｅｐｌａｙ−Ｒｅｐｌａｙ−Ｒｅｐｌａｙ」、「赤７−Ｒｅｐｌａｙ−Ｒｅｐｌａｙ」又は「青７−Ｒｅｐｌａｙ−Ｒｅｐｌａｙ」が並ぶことにより成立する。役物の入賞成立回数が「８回」となったとき、又は、１２回の遊技が終了したとき、遊技状態が移行する。ここで、役物の入賞が成立する可能性のあるＲＢ遊技状態のゲームは、一般に『ＪＡＣゲーム』と称される。
【００４５】
（遊技機１の製造、修理等）
上記の構成において、リール３Ｌ・３Ｃ・３Ｒ部分を中心として遊技機１を製造や修理する場合の作業について説明する。
【００４６】
先ず、図４に示すように、リールドラム１１２が準備される共に、所定間隔をおいて永久磁石１１４を配置した磁石保持帯１１５が準備される。尚、磁石保持帯１１５は、リールドラム１１２の外周長に相当する区間（帯長さ）が決定されており、各区間の先頭に位置する永久磁石１１４が原点用の磁化強度の分布状態を有したものに設定されている。そして、先頭位置の永久磁石１１４がリールドラム１１２の原点位置となるように位置合わせされた後、磁石保持帯１１５がリールドラム１１２の外周部に巻回され、接着剤等を用いて取り付けられる。これにより、所定の永久磁石１１４がリールドラム１１２の周囲に回転角度に対応して正確に配置されることになる。この後、リール帯１１３が準備され、磁石保持帯１１５を覆い隠すようにして、リールドラム１１２の外周部に巻回されて取り付けられる。そして、回転軸１１１が各回転軸１１１に取り付けられることによって、リール３Ｌ・３Ｃ・３Ｒがそれぞれ作成される。
【００４７】
次に、リール駆動基板１２３が準備される。そして、図２に示すように、キャビネット２が開放され、リール３Ｌ・３Ｃ・３Ｒの配置位置の後方に組み付けられる。この際、リール駆動基板１２３には、電磁石１２１や１次側駆動回路１３１、リール位置検出回路１４０が搭載されている。従って、リール駆動基板１２３を組み付ける１回のセット作業で、リニア駆動の１次側に使用される全部品を組み付けることが可能になる。また、リール駆動基板１２３に搭載された状態でセット作業が行われるため、各リール３Ｌ・３Ｃ・３Ｒとの位置関係も高い信頼性で正確なものになっている。尚、リール駆動基板１２３及びリール３Ｌ・３Ｃ・３Ｒの組み付けは、専用ラックにおいて行われてもよく、この場合には、専用ラックへのセット作業が容易かつ正確に行われることになる。
【００４８】
この後、リール駆動基板１２３の前方に、先ほどのリール３Ｌ・３Ｃ・３Ｒが組み付けられることによって、リール３Ｌ・３Ｃ・３Ｒとリール駆動機構１０１とのセット作業が完了することになる。また、このようにして製造された遊技機１を使用した結果、リール３Ｌ・３Ｃ・３Ｒの動きに異常等が生じた場合には、リール３Ｌ・３Ｃ・３Ｒがキャビネット２から取り外された後、リール駆動基板１２３が取り外される。そして、リール駆動基板１２３が交換されることによって、少なくともリール駆動基板１２３に関係する不具合を即座に回復することが可能になる。
【００４９】
（遊技機１の動作：主制御回路７１）
上記のようにして製造された遊技機１において、図９に示すメインフローチャートを参照して、主制御回路７１のＣＰＵ３１の制御動作について説明する。先ず、電源が投入されると、遊技機１は、主制御回路７１において図９のメインルーチンを実行することにより遊技を実施可能な状態になると共に、副制御回路７２において図示しないリセットルーチンを実行することにより液晶表示装置５の演出画像の表示等が実施されたり、実施可能な状態になる。
【００５０】
具体的には、主制御回路７１によりメインルーチン等が実行されると、図９に示すように、遊技開始時の初期化が行われた後（Ｓ１）、ゲーム終了時のＲＡＭ３３の所定の記憶内容が消去される（Ｓ２）。
【００５１】
次に、メダル投入処理が実行され、投入メダルセンサ２２ＳやＢＥＴスイッチ１１・１２・１３からの入力があるまで待機状態となる（Ｓ３）。
【００５２】
次に、メダル１１５が投入されると、スタートレバー６の操作によりスタートスイッチ６Ｓがオンされたか否かが判定される（Ｓ４）。スタートスイッチ６Ｓがオンされなければ（Ｓ４，ＮＯ）、Ｓ４が再実行され、スタートレバー６が操作されるまで待機状態とされる。スタートスイッチ６Ｓがオンされると（Ｓ４，ＹＥＳ）、リール回転処理に実行が移行され（Ｓ５）、続いて抽籖用の乱数が抽出される（Ｓ６）。そして、遊技状態監視処理が実行されることによって、今回のゲームにおける遊技状態が確認される（Ｓ７）。
【００５３】
今回のゲームの遊技状態が確認されると、図示しない確率抽籖テーブルに基づく確率抽籖処理において遊技状態に対応した内部当籖役が抽籖され（Ｓ８）、選択された内部当籖役の情報が副制御回路７２に格納される。内部当籖役を決定すると、停止テーブル群選択処理が実行される（Ｓ９）。そして、リール回転停止処理が実行され、何れかの停止ボタン７Ｌ・７Ｃ・７Ｒが操作されたタイミングや自動停止タイマの値が「０」になったタイミングで滑りコマ数が決定された後、滑りコマ数分、リール３Ｌ・３Ｃ・３Ｒが回転されてから停止される（Ｓ１０）。
【００５４】
上記のリール３Ｌ・３Ｃ・３Ｒの回転及び停止は、リール駆動機構１０１のリニア駆動により行われる。具体的には、図７に示すように、リール３Ｌ・３Ｃ・３Ｒの回転を指令するリール信号がＩ／Ｏポート３８から１次側駆動回路１３１に出力されると、このリール信号が入力された信号形成部１３３は、全電磁石１２１に対応する極性制御データの一群を出力単位としたリール駆動信号を電力供給部１３２に出力する。電力供給部１３２は、リール駆動信号が入力されると、ラッチ機能等を用いてリール駆動信号を個々の極性制御データに分離し、各極性制御データに対応した極性となるように、電磁石１２１に対して励磁電流を供給する。そして、リール駆動信号は、極性制御データが所定のタイミングで変更されると共に、例えば２０ミリセカント等の所定の時間間隔で繰り返して出力されることによって、各リール３Ｌ・３Ｃ・３Ｒの複数の電磁石１２１（１次側）において移動磁界を発生させる。尚、極性制御データの変更タイミングは、加速時と減速時と定速時との少なくとも３種類が用意されている。
【００５５】
移動磁界が発生すると、図８に示すように、１次側の電磁石１２１と２次側の永久磁石１１４との間に、吸引と反発との相互作用により永久磁石１１４に推進力が発生する。そして、この推進力は、永久磁石１１４を外周に備えたリールドラム１１２を回転させる駆動力となって、リール３Ｌ・３Ｃ・３Ｒを回転させることになる。この際、電磁石１２１は、リールドラム１１２の外周面に沿って湾曲形状に配置されているため、永久磁石１１４に対して効率良く推進力を発生させることから、リール３Ｌ・３Ｃ・３Ｒの回転に伴う消費電力を低減することができると共に、反応性の良好な回転を実現することができる。
【００５６】
一方、リール３Ｌ・３Ｃ・３Ｒの回転を停止するリール信号がＩ／Ｏポート３８から１次側駆動回路１３１に出力されると、このリール信号が入力された信号形成部１３３は、減速用のリール駆動信号を出力した後、極性制御データを変化させない停止用のリール駆動信号を出力する。これにより、電力供給部１３２は、リール駆動信号を個々の極性制御データに分離した後、各極性制御データに対応した極性を維持するように、電磁石１２１に対して励磁電流を供給する。この結果、各リール３Ｌ・３Ｃ・３Ｒの複数の電磁石１２１（１次側）において移動磁界が消失し、停止状態の磁界が発生することになる。
【００５７】
停止状態の磁界が発生すると、１次側の電磁石１２１と２次側の永久磁石１１４との間に、吸引と反発との相互作用により永久磁石１１４に停止状態を維持しようとする保持力が発生する。そして、この保持力は、永久磁石１１４を外周に備えたリールドラム１１２を停止させる力となって、リール３Ｌ・３Ｃ・３Ｒの停止状態を維持させることになる。
【００５８】
また、リール３Ｌ・３Ｃ・３Ｒが回転している場合において、永久磁石１１４を用いて回転位置が検出されている。具体的には、図６に示すように、永久磁石１１４の磁化強度の分布状態が磁化強度検出部材１４１により検出され、リール位置検出部１４４において、磁化強度の分布状態（変化部分）に基づいてリールドラム１１２の回転位置が検出される。
【００５９】
このようにしてリール３Ｌ・３Ｃ・３Ｒが回転された後に停止されると、次いで、入賞判定（入賞検索）により表示窓４Ｌ・４Ｃ・４Ｒの図柄の停止態様に基づいて入賞役（入賞が成立した役）が識別され（Ｓ１１）、遊技状態に応じてメダル１１５のクレジット又は払出しが行われる（Ｓ１２）。尚、入賞役がＢＢ又はＲＢであると判定された場合には、ＢＢ一般遊技状態又はＲＢ遊技状態の発生が行われる。
【００６０】
次に、現在の遊技状態がＢＢ一般遊技状態又はＲＢ遊技状態であるか否かが判定される（Ｓ１３）。遊技状態がＢＢ一般遊技状態又はＲＢ遊技状態でない場合には（Ｓ１３，ＮＯ）、Ｓ２が再実行される。一方、Ｓ１３において、遊技状態がＢＢ一般遊技状態又はＲＢ遊技状態である場合には（Ｓ１３，ＹＥＳ）、ボーナスの『遊技数チェック処理』が行われる（Ｓ１４）。この後、ボーナスの終了時であるか否かが判定され（Ｓ１５）、ボーナスの終了時でないと判定された場合には（Ｓ１５，ＮＯ）、Ｓ２が再実行される一方、ボーナスの終了時であると判定された場合には（Ｓ１５，ＹＥＳ）、ボーナス終了信号が副制御回路７２に出力された後（Ｓ１６）、Ｓ２が再実行される。
【００６１】
（本実施形態の概要）
以上のように、本実施形態の遊技機１は、図４及び図７に示すように、回転自在に支持された複数のリールドラム１１２と、リールドラム１１２の外周面に設けられると共に複数の図柄が配設されたリール帯１１３と、リールドラム１１２の外周に所定間隔で配置された永久磁石１１４と、リールドラム１１２の外周側にそれぞれ設けられ、該リールドラム１１２の永久磁石１１４に対向して配置された複数の電磁石１２１と、電磁石１２１に励磁する励磁極性を可変制御することによりリールドラム１１２をそれぞれ回転及び停止させる電力供給部１３２及び信号形成部１３３を含む１次側駆動回路１３１（励磁制御部）と、複数の電磁石１２１及び信号形成部１３３を搭載したリール駆動基板１２３とを有した構成にされている。
【００６２】
上記の構成によれば、リールドラム１１２に対してそれぞれ設けられる複数の電磁石１２１と、これらの電磁石１２１を励磁する信号形成部１３３とがリール駆動基板１２３に搭載されることによって、これら電磁石１２１及び信号形成部１３３がユニット化されているため、複数のリールドラム１１２に対して電磁石１２１等をセットするときの作業を一括して行うことができることから、リール３Ｌ・３Ｃ・３Ｒやリール駆動機構１０１等の組み付け作業を短時間で容易に行うことができる場合がある。
【００６３】
また、本実施形態の遊技機１において、電磁石１２１は、リールドラム１１２の回転位置に対応して磁化強度が部分的に変化されており、電磁石１２１の磁化強度の変化部分を検出する磁化強度検出部材１４１（磁化強度検出部）と、磁化強度の変化部分に基づいてリールドラム１１２の回転位置を検出する図６のリール位置検出部１４４とを、前記電磁石１２１及び信号形成部１３３と共にリール駆動基板１２３に搭載した状態で備えている。
【００６４】
上記の構成によれば、リールドラム１１２の周囲に配設された永久磁石１１４を用いてリールドラム１１２の回転位置を検出することができるため、リールドラム１１２の回転位置を検出するための部品点数を削減してコストダウンを図ることができる場合がある。さらに、リールドラム１１２に対してそれぞれ設けられる複数の電磁石１２１、信号形成部１３３、リール位置検出部１４４及び磁化強度検出部材１４１がリール駆動基板１２３に搭載されることによりユニット化されているため、複数のリールドラム１１２に対してセットするときの作業を一括して行うことができることから、リール３Ｌ・３Ｃ・３Ｒやリール駆動機構１０１の組み付け作業を短時間で容易に行うことができる場合がある。
【００６５】
（本実施形態の変形例）
以上、本実施形態について説明したが、本発明はこれに限定されるものではなく、遊技機は、以下の構成を上述の実施形態における構成に加えて、或いは重複して備えていても良い。
【００６６】
即ち、遊技機は、所定の遊技結果が表示された場合に遊技者に遊技価値を付与する遊技価値付与手段と、遊技開始指令信号に基づいて所定の役を内部当籖役として決定する内部当籖役決定手段と、内部当籖役に基づいて変動表示手段に入賞態様を表示させる停止制御手段と、演出表示手段に遊技に関連した演出態様を表示させる演出表示制御手段と、遊技結果表示手段に特定の遊技結果が表示される以前に、特定の遊技結果が表示される可能性があることを予告表示手段に予告態様を表示させる予告表示制御手段と、遊技結果表示手段に特定の遊技結果が表示される以前に、特定の遊技結果が表示されることを告知表示手段に告知態様を表示させる予告表示制御手段と、遊技結果表示手段の表示制御を行なう表示制御手段と、遊技結果表示手段又は変動表示手段の一部又は全部の可変表示を停止させる停止指令信号を出力する遊技者による操作が可能な位置に設けられた表示停止指令手段と、所定の単位遊技で内部当籖役決定手段が内部当籖役として決定した特定の役を次回の単位遊技にも内部当籖役として持ち越す内部当籖役持越手段と、内部当籖役決定手段が内部当籖役として決定した特定の役を蓄積して記憶する特定役蓄積手段と、特定役蓄積手段が蓄積して記憶している特定の役を内部当籖役とする蓄積特定役当籖手段とを少なくとも１つ以上備えていてもよい。
【００６７】
ここで、上記の『遊技結果表示手段』は、まとめると変動表示手段、演出表示手段、告知表示手段等を含んで構成されている。それらが、別体の表示装置であってもよいし、単一の表示装置に設けられた所定の表示部（スプライト、深度の異なる３Ｄオブジェクト）でもよい。また、重なって表示されてもよい。さらには、１又は複数の音、１又は複数の光、１又は複数の色、１又は複数の画像、１又は複数の臭い等、１又は複数の感触（振動、圧力）のうちの何れかの、複数又は全部により遊技者に報知を行うようになっていてもよい。
【００６８】
『遊技価値付与手段』は、遊技価値（コイン）を付与（払出）するプログラム等、有利状態発生手段を含み、賞媒体の払出、磁気カードへの記録、ゲームの得点加算も含む。
【００６９】
『表示制御手段』は、まとめると停止制御手段、演出表示制御手段、告知表示制御手段等を含んで構成されている。単一の基板に設けられていても、別体の複数の基板に設けられてもよいし、停止制御手段は内部当籖役決定手段と同一の基板に設けられてもよい。（別体でもよい。）さらには、演出表示制御手段及び告知表示制御手段は、内部当籖役決定手段と別体の基板に設けられてもよい。（別体でもよい。）
【００７０】
『変動表示手段』は、静止画像・動画像等を表示するものであり、リールやディスクによる移動表示、複数種類の図柄を可変表示または停止表示する１又は複数の図柄表示部から構成されている。例えばパチスロ機やビデオスロットの図柄、パチンコの特図、音図、判定図柄等を表示する。また、遊技結果として、特定の入賞態様を表示すれば何でもよい。
【００７１】
『表示停止指令手段』は、演出表示手段、変動表示手段、告知表示手段等のうちの１つ、複数、全ての可変表示を停止させる信号を出力してもよいし、１つ又は複数の表示部に対応して１つ設けられていてもよい（表示部は、図柄表示部等）。或いは、１つの表示部に対応して複数設けられていてもよい（表示部は、図柄表示部等）。
【００７２】
『有利状態発生手段』は、複数の遊技単位の間、継続して遊技者に有利な状態が続くものであれば何でもよい。例えば発生判定、継続判定、途中終了判定、発生、継続、終了等を行うプログラム等である。また、『内部当籖役決定手段』は、内部当籖役抽籖手段、内部当籖役持越手段、特定役蓄積手段、蓄積特定役当籖手段等から構成されている。
【００７３】
尚、本実施の形態において、『遊技機』は、パチンコ、パチスロ機、ビデオスロット等を含む。『遊技結果』は、入賞態様、外れ態様、演出態様、告知態様等を含む。『特定の入賞態様』は、特定の図柄の表示（『３』、『７』等）や特定の図柄の組合せの表示（『７７７』『７７６』等）、複数の図柄うちに特定の図柄が含まれている（単チェリー、２連チェリー等）等を含む。
【００７４】
『外れ態様』は、変動表示手段に表示される入賞態様以外の態様、演出態様、告知態様等を含む。『所定の遊技結果』は、入賞態様等を含む。『演出態様』は、客待ち中、遊技中、遊技間、入賞（前、中、後）、有利状態（前、中、後）等を盛り上げる態様、または、それらの遊技情報（遊技案内）の報知態様、その他の態様等を含み、『大当り』、『ボーナス』、『外れ』、有利状態の継続数等の文字も含む。
【００７５】
『予告態様』は、所定の内部当籖役または特定の内部当籖役が決定されている可能性があることを遊技者に対して予告する態様や外れを予告する態様、また、その演出態様を含む。『外れ？』、『ベル？』、『大当り当籖？』、『ボーナス当籖？』、『遊技手順ナビゲート機能当籖？』等の文字も含む。『告知態様』は、所定の内部当籖役または特定の内部当籖役が決定されていることを遊技者に対して告知する態様や、所定の内部当籖役または特定の内部当籖役が決定されていないことを遊技者に対して告知する態様、また、その演出態様を含む。『大当り確定』、『ボーナス確定』、『外れ確定』、『ベル確定』、『遊技手順ナビゲート機能当籖？』等の文字も含む。
【００７６】
『態様』は、１又は複数の図柄（動／静止）画像、１又は複数のキャラクタ（動／静止）画像、１又は複数の背景（動／静止）画像、１又は複数の吹出し（動／静止）画像、１又は複数の文字、１図形、１又は複数の可動物の所定の動作等、１又は複数のランプの点灯、点滅等、１又は複数のスピーカの音等を含む。『遊技情報』は、遊技コンセプト（背景）、遊技のルール、操作説明、リーチ目、チャンス目、役・リプレイの説明、有利状態（ＢＢ，ＲＢ，ＳＢ等）の説明、有利状態（ＢＢ，ＲＢ等）、確率、所定時点（ボーナス、ＢＢ，ＲＢ、所定操作等）からの経過ゲーム数等を含む。
【００７７】
『遊技開始指令手段』は、スタートレバー、スピンボタン等のスイッチ、遊技媒体投入、図柄始動口（ゲート）等を含む。『表示停止指令手段』は、ボタン、レバー、プログラム（計時手段）等を含む。『図柄表示手段』は、ＣＲＴ，ＬＣＤ、プラズマディスプレイ、７セグメント表示器、ドットマトリックス、ランプ、ＬＥＤ、蛍光灯、ＥＬ、電子ペーパ、フレキシブルＬＥＤ、フレキシブル液晶、液晶プロジェクタ、リール、ディスク、可動物等を含む。それらが複数設けられたもの、それらが組合せられたもの等を含む。
【００７８】
『内部当籖役』は、複数の役から内部当籖役決定手段により内部当籖役として決定された１または複数の役を含む。『入賞役』は、内部当籖役に対応する入賞態様が表示された役を含む。『遊技価値』は、賞媒体（コイン、メダル、遊技球）の払出し、遊技結果記憶媒体（磁気カード等への所定の書き込み、リプレイ、得点の加算、有利状態の発生等を含む。『遊技媒体（賞媒体）』は、コイン、メダル、遊技球、貨幣、紙幣、磁気カード等を含む。
【００７９】
また、パチスロ等における役は、次のうちの１または複数を適用してもよい。外れ、所定枚数の賞媒体を払出す小役、内部当籖役決定手段が小役を内部当籖役と決定する確率を１単位遊技（１ゲーム）の間だけ高確率とするシングルボーナス、内部当籖役決定手段が小役を内部当籖役と決定する確率を複数単位遊技の間だけ高確率とするレギュラーボーナス、内部当籖役決定手段がレギュラーボーナスを内部当籖役に決定する確率を複数単位遊技の間だけ高確率とするビッグボーナス、内部当籖役決定手段が決定した内部当籖役に関する情報を遊技者による表示停止指令手段の操作より以前に報知する内部当籖役ナビゲート機能。停止パターン選択手段が選択した停止パターンに関する情報を遊技者による表示停止指令手段の操作より以前に報知する押順ナビゲート機能。遊技者にとって有利となる遊技手順を報知する遊技手順ナビゲート機能。
【００８０】
例えば、上述の内部当籖役ナビゲート機能は、左リール、中リール、右リールに対応する左、中、右リール停止ボタンを停止操作する以前に報知されるリール停止パターン（例えば、最初に左リールを停止し、次に中リールを停止、最後に右リールを停止するパターン、同様に左リール停止→右リール停止→中リール停止のパターン、中リール停止→右リール停止→左リール停止のパターン、中リール停止→左リール停止→右リール停止のパターン、右リール停止→左リール停止→中リール停止のパターン、右リール停止→中リール停止→左リール停止のパターンの６種類等）にしたがって、左、中、右リール停止ボタンを停止操作することで変動表示手段に所定の入賞態様が得られるリール停止ナビゲート機能等を含む。リール停止ナビゲート機能は全てのリール（リール以外で図柄を可変表示する画像表示手段も含まれる）の停止順序をナビゲートしなくても、所定回目（例えば、最初、２番目、３番目等）に停止させるリールを遊技者に報知するようなナビゲート機能も含む。また、所定回目に停止させるリールに所定の図柄が表示されている状態でリールを停止させた場合に変動表示手段に所定の入賞態様が得られるものも含む。遊技者による表示停止指令手段からの停止指令信号の出力から最小移動（又は略最小変動）で図柄を停止させる機能や、遊技媒体の投入無しで１単位遊技の遊技を開始できるリプレイも含む。
【００８１】
また、１回の単位遊技は、例えば次のようなもののうち何れかを適用してもよい。遊技開始指令手段からの遊技開始指令信号の出力から遊技結果の表示まで。スタートレバーの操作から変動表示手段（所定の表示手段）に遊技結果が表示されるまで。スタートレバーの操作から所定の表示手段に特定の表示（例えば、特定の文字情報、特定のキャラクタ、特定の画像）が表示されるまで。ベットボタンが遊技者により操作されたこと、または遊技メダルが遊技者により投入されたこと、等により遊技開始指令信号を出力するように構成し、ベットボタンの操作または遊技メダルの投入から変動表示手段に遊技結果が表示されるまで。ベットボタンが遊技者により操作されたこと、または遊技メダルが遊技者により投入されたこと、等により遊技開始指令信号を出力するように構成し、ベットボタンの操作または遊技メダルの投入から所定の表示手段に特定の表示が表示されるまで。遊技開始指令信号を出力する図柄始動手段が遊技媒体（例えば遊技球）の入賞または通過を検出してから変動表示手段（所定の表示手段）に遊技結果が表示されるまで。遊技開始指令信号を出力する図柄始動手段が遊技媒体の入賞または通過を検出してから所定の表示手段に特定の表示（例えば、特定の文字情報、特定のキャラクタ、特定の画像）が表示されるまで。また、複数単位遊技は、連続的または間欠的な複数回の単位遊技を適用してもよい。
【００８２】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明の実施の形態に記載されたものに限定されるものではない。
【図面の簡単な説明】
【００８３】
【図１】本実施の形態のパチスロ機の斜視図。
【図２】本実施の形態のパチスロ機の内部の構成を示す概略構成図
【図３】リールの状態を示す説明図。
【図４】リールの要部を破断して示す説明図
【図５】主制御回路のブロック図。
【図６】リール位置検出回路のブロック図
【図７】１次側駆動回路のブロック図
【図８】リール駆動の状態を示す説明図
【図９】メインルーチンのフローチャート
【符号の説明】
【００８４】
１  遊技機
３Ｌ・３Ｃ・３Ｒ  リール
１１２  リールドラム
１１３  リール帯
１１４  永久磁石
１１５  磁石保持帯
１２１  電磁石
１２３  リール駆動基板
１３１  １次側駆動回路
１３２  電力供給部
１３３  信号形成部
１４１  磁化強度検出部材
１４４  リール位置検出部
【図１】
2007117415.tif 000003
【図２】
2007117415.tif 000004
【図３】
2007117415.tif 000005
【図４】
2007117415.tif 000006
【図５】
2007117415.tif 000007
【図６】
2007117415.tif 000008
【図７】
2007117415.tif 000009
【図８】
2007117415.tif 000010
【図９】
2007117415.tif 000011